(57)【要約】【課題】  塗布容器において、容器本体の圧縮を解除したときに、塗布部の液が容器本体の内部に取り込まれないようにすること。【解決手段】  容器本体１０に設けたノズル２３の吐出口２３Ａの上方に隔離させた塗布部３３を有し、容器本体１０の圧縮により吐出口２３Ａから吐出される内容液を塗布部３３に含ませる塗布容器１であって、容器本体１０の正立状態における吐出口２３Ａの鉛直線上の塗布部３３との間に、液垂れ防止壁４０が設けられてなるもの。【選択図】  図１
2008056348.tif 000002
【特許請求の範囲】
【請求項１】
容器本体に設けたノズルの吐出口の上方に隔離させた塗布部を有し、容器本体の圧縮により吐出口から吐出される内容液を塗布部に含ませる塗布容器であって、
容器本体の正立状態における吐出口の鉛直線上の塗布部との間に、液垂れ防止壁が設けられてなる塗布容器。
【請求項２】
前記正立状態における容器本体から突出して設けられるノズルに吐出口を備え、
該ノズルの周囲に設けられる塗布手段が塗布部を上面に備える支持板を有し、支持板におけるノズルの斜め上方に位置する部分に内容液の通過孔を形成し、支持板における通過孔の側傍部が液垂れ防止壁を形成する請求項１に記載の塗布容器。
【請求項３】
前記ノズルの周囲に液回収溝を備える請求項１又は２に記載の塗布容器。
【請求項４】
前記塗布部の少なくとも下端側に液回収部を備える請求項１〜３のいずれかに記載の塗布容器。
【請求項５】
前記容器本体に複数種類の内容液を別個に収容するとともに、各内容液を別個に吐出する複数のノズルを設け、各ノズルの吐出口から吐出される内容液を含ませられて混合する塗布部を有する請求項１〜４のいずれかに記載の塗布容器。
【請求項６】
前記容器本体に設けたノズルの周囲に液保留筒を設け、前記塗布部を液保留筒に着脱可能にする請求項１〜５のいずれかに記載の塗布容器。
【請求項７】
前記容器本体に設けたノズルの吐出口を開閉する開閉キャップを吐出口の周囲に回転可能に設け、この開閉キャップに前記液保留筒を設けてなる請求項６に記載の塗布容器。
【発明の詳細な説明】
【技術分野】
【０００１】
本発明は洗剤等の液体を塗布する塗布容器に関する。
【背景技術】
【０００２】
従来、塗布容器として、特許文献１に記載の如く、容器本体に設けた吐出口の上方に隔離させた塗布部を有し、容器本体の圧縮により吐出口から吐出される内容液を塗布部に含ませるものがある。
【特許文献１】特開平10-17035
【発明の開示】
【発明が解決しようとする課題】
【０００３】
特許文献１に記載の塗布容器では、容器本体の正立状態における吐出口の鉛直線上に直接的に塗布部が相対するように設けられる。このため、容器本体の圧縮を解除して容器本体を復元するとき、塗布部から垂れる液を吐出口から容器本体の内部に吸引して取り込み易い。塗布部に一旦含ませた液は被塗布物の汚れ、水等の異物が混入し、この異物混入液が容器本体の内部に取り込まれると、容器本体の内容液が異物との接触によって化学変化する等、変質するおそれがある。
【０００４】
本発明の課題は、塗布容器において、容器本体の圧縮を解除したときに、塗布部の液が容器本体の内部に取り込まれないようにすることにある。
【課題を解決するための手段】
【０００５】
請求項１の発明は、容器本体に設けたノズルの吐出口の上方に隔離させた塗布部を有し、容器本体の圧縮により吐出口から吐出される内容液を塗布部に含ませる塗布容器であって、容器本体の正立状態における吐出口の鉛直線上の塗布部との間に、液垂れ防止壁が設けられてなるようにしたものである。
【発明を実施するための最良の形態】
【０００６】
図１は塗布容器を示す要部断面図、図２は２剤混合塗布容器の容器本体を示す斜視図、図３は２剤混合塗布容器の塗布手段を示す斜視図、図４は２剤混合塗布容器を示す断面図、図５は２剤混合塗布容器を拡大して示す断面図、図６は２剤混合塗布容器のノズルキャップと液保持筒を示す断面図である。
【０００７】
図１に示す塗布容器１は、液体が収容される容器本体１０と、容器本体１０に螺着されるノズルキャップ２０と、使用時にノズルキャップ２０に螺着されてノズル２３の周囲に設けられる塗布手段３０を有する。尚、塗布容器１の流通段階や、再使用前の長期保管時には、ノズルキャップ２０に不図示のカバーキャップが螺着される。
【０００８】
容器本体１０は、使用時に手で握る部分となる有底筒状部１１と、筒状部１１の底部を化粧台等の載置面に置いた正立状態で、筒状部１１の中心軸に対し斜め上方に屈曲する中心軸を有する開口部１２を備え、開口部１２の外周のねじ部１２Ａにノズルキャップ２０を螺着可能にする。容器本体１０の筒状部１１はスクイズ性を有し、手の握り力により圧縮変形して内容液を開口部１２に設けたノズルキャップ２０から吐出し、握り力の解放により圧縮を解除されて復元する。容器本体１０に収容される内容液は、例えば洗剤であり、他の物質との混合によって分解され、化学変化を起こして変質する不安定な物質、例えば、過酸化水素系漂白剤（過酸化水素水）、次亜塩素酸ナトリウム等を含む。
【０００９】
ノズルキャップ２０は、容器本体１０の開口部１２のねじ部１２Ａに螺着されるカップ状取付部２１と、取付部２１の天端面の中央から外方に突出する内筒部２２と、内筒部２２から同軸的に更に外方に突出する細筒状ノズル２３と、取付部２１における内筒部２２まわりの天端面に設けられる外筒部２４とを有する。ノズルキャップ２０のノズル２３は、正立状態にある容器本体１０から開口部１２の中心軸に沿う斜め上方に突出して設けられ、先端に吐出口２３Ａを備える。ノズルキャップ２０の外筒部２４は、塗布手段３０が螺着されるねじ部２４Ａを外周に備え、内筒部２２との間の環状スペースを液回収溝２５とし、これをノズル２３の周囲に備える。
【００１０】
塗布手段３０は、ノズルキャップ２０のねじ部２４Ａに螺着されてノズル２３の中心軸に沿う斜め上方に吐出口２３Ａより上方にまで延在する取付筒３１と、取付筒３１の軸に交差する端面に取着される傾斜状支持板３２と、支持板３２の上面に設けられるブラシ状（スポンジ、不織布等でも可）塗布部３３を有し、支持板３２においてノズル２３の吐出方向である該ノズル２３の中心軸に沿う斜め上方に位置する部分に内容液の通過孔３２Ａを形成する。従って、支持板３２及び内容液の通過孔３２Ａはノズル２３の吐出口２３Ａと隔離されている。また、塗布部３３の先端塗布面３３Ａは容器本体１０の筒状部１１の中心軸に対して傾斜し、使用性は良い。
【００１１】
従って、塗布容器１は、容器本体１０に設けたノズルキャップ２０のノズル２３が備える吐出口２３Ａの上方に離隔させた塗布手段３０の塗布部３３を有し、逆さにした容器本体１０の圧縮により吐出口２３Ａから吐出される内容液を通過孔３２Ａから、被塗布物を介して、又は直接的に塗布部３３の全領域に拡散するように供給して該塗布部３３に含ませる。この塗布部３３を被塗布物に擦りつけて塗布作業が行なわれる。塗布容器１は、塗布作業後に、容器本体１０の底部を化粧台等の載置面に置いた正立状態で再使用のために待機される。
【００１２】
しかるに、塗布容器１は、容器本体１０の正立状態におけるノズル２３の吐出口２３Ａの鉛直線（図１のＶ）上の塗布部３３との間に、液垂れ防止壁４０が設けられている。液垂れ防止壁４０は、塗布容器１の使用後における容器本体１０の正立状態で、塗布部３３に付着した液が通過孔３２Ａを経て垂れ落ちる液垂れ領域Ｌに対してノズル２３の吐出口２３Ａを遮蔽する。本実施例では、塗布手段３０において、支持板３２における通過孔３２Ａの側傍部３２Ｂが液垂れ防止壁４０を形成する。
【００１３】
尚、塗布容器１は、塗布手段３０の塗布部３３に対する少なくとも下端側、本実施例では支持板３２の下向き傾斜面の下端部に壁状（溝状でも可）の液回収部３４を備える。
【００１４】
本実施例では以下の作用効果を奏する。
(a)塗布容器１は、容器本体１０の正立状態における吐出口２３Ａの鉛直線上の塗布部３３との間に、液垂れ防止壁４０が設けられる。このため、容器本体１０の圧縮を解除して容器本体１０を復元するときにも、塗布部３３に残り、該塗布部３３から容器本体１０の吸引力により逆流して鉛直線下方に垂れる液は、液垂れ防止壁４０の存在により吐出口２３Ａから外れ、容器本体１０の内部に取り込まれることがない。液垂れ防止壁４０は、重力により塗布部３３から垂れる液に対しても、容器本体１０の内部への取り込みを防止する。従って、容器本体１０の内容液が、塗布部３３に一旦含ませた液に混入している汚れ、水等の異物と接触することがなく、変質するおそれがない。
【００１５】
(b)塗布容器１において、正立状態における容器本体１０から斜め上方に突出して設けられるノズル２３に吐出口２３Ａを備え、該ノズル２３の周囲に設けられる塗布手段３０が塗布部３３を上面に備える支持板３２を有し、支持板３２のノズル２３の吐出方向である該ノズル２３の斜め上方に位置する部分に内容液の通過孔３２Ａを形成し、支持板３２における通過孔３２Ａの側傍部３２Ｂが液垂れ防止壁４０を形成する。これにより、上述(a)の液垂れ防止壁４０を簡易に形成できる。
【００１６】
(c)ノズル２３の周囲に液回収溝２５を備えたから、塗布部３３から垂れた液を液回収溝２５に回収できる。回収液は、次回塗布時に使用し、又は廃棄できる。
【００１７】
(d)塗布部３３の少なくとも下端側に液回収部３４を備えたから、塗布部３３で生じた余剰液を液回収部３４に回収できる。回収液は、次回使用時に使用し、又は廃棄できる。
【００１８】
図２〜図４に示す２剤混合塗布容器１００は、複数種類の内容液、本実施例では第１と第２液を別個に収容する第１容器１１０Ａと第２容器１１０Ｂを一体結合してなる容器本体１１０と、第１と第２の各容器１１０Ａ、１１０Ｂのそれぞれに螺着されるノズルキャップ１２０、１２０と、各ノズルキャップ１２０に取着される液保留筒１３０及び開閉キャップ１４０と、各液保留筒１３０に着脱可能に設けられる塗布手段１５０を有する。尚、塗布容器１００の流通段階や、再使用前の長期保管時には、各ノズルキャップ１２０に不図示のカバーキャップが嵌着される。
【００１９】
容器本体１１０の第１と第２の各容器１１０Ａ、１１０Ｂは、使用時に手で握る部分となる有底筒状部１１１と筒状部１１１の底部を化粧台等の載置面に置いた正立状態で、筒状部１１１の中心軸に沿って上方に突出する開口部１１２を備え、開口部１１２の外周にノズルキャップ１２０を打ち込み可能にする。各容器１１０Ａ、１１０Ｂの筒状部１１１はスクイズ性を有し、手の握り力により圧縮変形して内容液を開口部１１２に設けたノズルキャップ１２０から絞り出し、握り力の解放により圧縮を解除されて復元する。各容器１１０Ａ、１１０Ｂに収容される内容液は、例えば洗剤であり、他の物質との混合によって分解され、化学変化を起こして変質する不安定な物質、例えば、過酸化水素系漂白剤（過酸化水素水）、次亜塩素酸ナトリウム等を含む。そして、各容器１１０Ａ、１１０Ｂに収容される内容液は、混合すると反応が進み、所望の効果が得られないものとなる剤を一方又は他方の容器（１１０Ａ又は１１０Ｂ）に収容し、使用直前に混合することによって、洗浄効果や酵素の効果を得ることができる。例えば、各容器１１０Ａ、１１０Ｂに収容される内容液の組合せとて、次亜塩素酸ナトリウムを含有する液と過酸化水素水を含有する液では、使用直前に混合されて反応することで発泡する使用感を得ることができ、酸性過酸化水素を含有する液とアルカリ剤、または、次亜塩素酸ナトリウムを含有する液とノニオン活性剤（エマルゲン、アルキルグルコシド等）を含有する液とでは、使用直前に混合されることで高い洗浄効果が得られ、界面活性剤又は次亜塩素酸を含有する液と酵素を含有する液とでは、使用直前に混合されることで酵素が有効に働く。
【００２０】
各ノズルキャップ１２０は、各１１０Ａ、１１０Ｂの開口部１１２に打ち込まれるカップ状取付部１２１と、取付部１２１の天端面の中央から外方に突出する筒部１２２と、筒部１２２から同軸的に更に外方に突出する筒状ノズル１２３とを有する。各ノズルキャップ１２０のノズル１２３は、正立状態にある各容器１１０Ａ、１１０Ｂから開口部１１２の中心軸に沿う上方に突出して設けられ、先端プラグ１２４の下部側面に吐出口１２３Ａを備える。各ノズルキャップ１２０の筒部１２２は、開閉キャップ１４０が螺着されるねじ部１２２Ａを外周に備える。
【００２１】
各液保留筒１３０は開閉キャップ１４０を内周に一体成形して備え、各開閉キャップ１４０を各ノズルキャップ１２０のねじ部１２２Ａに螺着して後述する如くにそれらノズルキャップ１２０に対し螺旋回転可能にする。各開閉キャップ１４０は、液保留筒１３０の内周の下端寄り中間部に結合される下端部から上方に延び、ノズルキャップ１２０の先端プラグ１２４に係脱する開口１４０Ａを上端部に備える。
【００２２】
各液保留筒１３０は、ノズルキャップ１２０の取付部１２１の周囲において楕円状をなすグリップ１３１を下端側に備え、グリップ１３１の上方に円筒部１３２を延在させて備える。各液保留筒１３０は、円筒部１３２と開閉キャップ１４０の外周との間の環状スペースを液回収溝１３３とし、これをノズル１２３の周囲に備える。
【００２３】
各開閉キャップ１４０は、各液保留筒１３０のグリップ１３１を手指により正転させることにより、ノズルキャップ１２０のねじ部１２２Ａに対して前進方向に螺旋回転し、図６左半分に示す如く、開口１４０Ａをノズルキャップ１２０の先端プラグ１２４から上方に脱する開き位置に位置付け、ノズルキャップ１２０の吐出口１２３Ａを外方に対して開く。他方、各開閉キャップ１４０は、各液保留筒１３０のグリップ１３１を手指により開き位置から逆転させることにより、ノズルキャップ１２０のねじ部１２２Ａに対して後退方向に螺旋回転し、図６右半分に示す如く、開口１４０Ａをノズルキャップ１２０の先端プラグ１２４に嵌合する閉じ位置に位置付け、ノズルキャップ１２０の吐出口１２３Ａを外方に対して閉じる。
【００２４】
塗布手段１５０は、各液保留筒１３０の円筒部１３２に着脱可能に挿入されて嵌合され、容器本体１１０の正立状態で、各ノズル１２３に対する斜め上方まで延在する２本の取付筒１５１、１５１と、両取付筒１５１の軸に交差する端面に取着される単一の傾斜状支持板１５２と、支持板１５２の上面に設けられるスポンジ状（ブラシ、不織布等でも可）塗布部１５３を有し、支持板１５２における各ノズル１２３の斜め上方に位置する２つの部分に内容液の通過孔１５２Ａ、１５２Ａを形成する。従って、支持板１５２及び内容液の通過孔１５２Ａは各ノズル１２３の吐出口１２３Ａと隔離されている。また、塗布部１５３の先端塗布面１５３Ａは容器本体１１０の各筒状部１１１の中心軸に対して傾斜し、使用性は良い。
【００２５】
従って、塗布容器１１０は、第１液と第２液を別個に収容する第１と第２の各容器１１０Ａ、１１０Ｂに設けた各ノズルキャップ１２０のノズル１２３が備える吐出口１２３Ａの上方に離隔させた塗布手段１５０の塗布部１５３を有し、逆さにした容器本体１１０Ａ、１１０Ｂの圧縮により各開閉キャップ１４０により開かれた各吐出口１２３Ａから別個に吐出される各内容液を通過孔１５２Ａから、被塗布物を介して、又は直接的に塗布部１５３の全領域に拡散するように供給して該塗布部１５３に含ませて混合する。この塗布部１５３を被塗布物に擦りつけて塗布作業が行なわれる。また、塗布部１５３を取り外し、内容液を直接被塗布部に塗布することも可能で、更に一旦計量キャップ等に内容液を吐出させて、２剤のうち１剤のみ又はそれぞれ任意の割合で計量後使用することもできる。塗布容器１００は、塗布作業後に、容器本体１１０Ａ、１１０Ｂの底部を化粧台等の載置面に置いた正立状態で再使用のために待機される。
【００２６】
しかるに、塗布容器１００は、容器本体１１０の正立状態において、各ノズル１２３の吐出口１２３Ａの鉛直線（図５のＶ）上の塗布部１５３との間に、液垂れ防止壁１６０が設けられている。液垂れ防止壁１６０は、塗布容器１００の使用後における容器本体１１０の正立状態で、塗布部１３３に付着した液が通過孔１５２Ａを経て垂れ落ちる液垂れ領域Ｌに対してノズル１２３の吐出口１２３Ａを遮蔽する。本実施例では、塗布手段１５０において、支持板１５２における通過孔１５２Ａの側傍部１５２Ｂが液垂れ防止壁１６０を形成する。
【００２７】
尚、塗布容器１００は、塗布手段１５０の塗布部１５３に対する少なくとも下端側、本実施例では支持板１５２の下向き傾斜面の下端部に壁状（溝状でも可）の液回収部１５４を備える。
【００２８】
本実施例では以下の作用効果を奏する。
(a)塗布容器１００の第１容器１１０Ａと第２容器１１０Ｂのそれぞれが、容器本体１１０の正立状態における各吐出口１２３Ａの鉛直線上の塗布部１５３との間に、液垂れ防止壁１６０が設けられる。このため、第１容器１１０Ａと第２容器１１０Ｂの圧縮を解除して第１容器１１０Ａと第２容器１１０Ｂを復元するとき、塗布部１５３に残り、該塗布部１５３から第１容器１１０Ａと第２容器１１０Ｂの吸引力により逆流して鉛直下方に垂れる第１液と第２液の混合液は、液垂れ防止壁１６０の存在により各吐出口１２３Ａから外れ、第１容器１１０Ａと第２容器１１０Ｂの内部に取込まれることがない。液垂れ防止壁１６０は、重力により塗布部１５３から垂れる液に対しても、第１容器１１０Ａと第２容器１１０Ｂの内部への取り込みを防止する。従って、第１容器１１０Ａと第２容器１１０Ｂの内容液（第１液と第２液）が、塗布部１５３において混合されたそれらの混合液は、塗布部１５３に一旦含ませたそれらの混合液に混入した汚れ、水等の異物と接触することがなく、噴出するおそれがない。
【００２９】
(b)塗布容器１００の第１容器１１０Ａと第２容器１１０Ｂにおいて、正立状態における第１容器１１０Ａと第２容器１１０Ｂから上方に突出して設けられる各ノズル１２３に吐出口１２３Ａを備え、各ノズル１２３の周囲に設けられる塗布手段１５０が塗布部１５３を上面に備える支持板１５２を有し、支持板１５２における各ノズル１２３の斜め上方に位置する部分に内容液の通過孔１５２Ａを形成し、指示板１５２における通過孔１５２Ａの側傍部１５２Ｂが液垂れ防止壁１６０を形成する。これにより、上述(a)の液垂れ防止壁１６０を簡易に形成できる。
【００３０】
(c)各ノズル１２３の周囲に液回収溝１３３を備えたから、塗布部１５３から垂れた第１液と第２液の混合液を液回収溝１３３に回収できる。回収液は、次回塗布時に使用し、又は廃棄できる。
【００３１】
(d)塗布部１５３の少なくとも下端側に液回収部１５４を備えたから、塗布部１５３で生じた第１液と第２液の余剰混合液を液回収部１５４に回収できる。回収液は、次回使用時に使用し、又は廃棄できる。
【００３２】
(e)各ノズル１２３の周囲に液保留筒１３０を設けることにより、各ノズル１２３の周囲に液回収溝１３３を形成できる。塗布手段１５０の塗布部１５３を液保留筒１３０に着脱でき、使用後に塗布部１５３を外して洗浄できる。
【００３３】
(f)塗布手段１５０の塗布部１５３が取付けられる液保留筒１３０に開閉キャップ１４０を設けることにより、塗布部１５３を取付けたままでも各吐出口１２３Ａを開閉できる。第１容器１１０Ａの第１液と第２容器１１０Ｂの第２液を独立して吐出できる。
【００３４】
(g)混合すると反応が進み、所望の効果（洗浄効果、酵素の働き、使用感）が得られなくなる剤であっても、第１容器１１０Ａの第１液及び／又は第２容器１１０Ｂの第２液として収容し、使用直前まで混合することなく保存され、使用直前に混合することで所望の効果を得ることができる。
【図面の簡単な説明】
【００３５】
【図１】図１は塗布容器を示す要部断面図である。
【図２】図２は２剤混合塗布容器の容器本体を示す斜視図である。
【図３】図３は２剤混合塗布容器の塗布手段を示す斜視図である。
【図４】図４は２剤混合塗布容器を示す断面図である。
【図５】図５は２剤混合塗布容器を拡大して示す断面図である。
【図６】図６は２剤混合塗布容器のノズルキャップと液保持筒を示す断面図である。
【符号の説明】
【００３６】
１  塗布容器
１０  容器本体
２３  ノズル
２３Ａ  吐出口
２５  液回収溝
３０  塗布手段
３２  支持板
３２Ａ  通過孔
３２Ｂ  側傍部
３３  塗布部
３４  液回収部
４０  液垂れ防止壁
１００  塗布容器
１１０  容器本体
１２３  ノズル
１２３Ａ  吐出口
１３０  液保留筒
１３３  液回収溝
１４０  開閉キャップ
１５０  塗布手段
１５２  支持板
１５２Ａ  通過孔
１５２Ｂ  側傍部
１５３  塗布部
１５４  液回収部
１６０  液垂れ防止壁
【図１】
2008056348.tif 000003
【図２】
2008056348.tif 000004
【図３】
2008056348.tif 000005
【図４】
2008056348.tif 000006
【図５】
2008056348.tif 000007
【図６】
2008056348.tif 000008